(57)【要約】【課題】既設のサッシ枠の取付フィンを覆っているモルタルまたは、サイディングを除く工事をしないで新設サッシ枠を取付することを可能とする。【解決手段】建物の開口部２に取付けられている既設引き違いサッシのサッシ枠に取付けられる半外付納まりの新設のサッシ枠１３を有する改装サッシ１２であって、前記既設のサッシ枠は下枠５に外レール５ａと内レール５ｃとを有しており、前記新設のサッシ枠の下枠１３ｂは室内外方向略中間の外周に取付フィン１５を有しており、既設のサッシ枠の下枠５の内レール５ｃと外レール５ａ間の上面に下枠取付部材１６を取り付けてなり、下枠取付部材１６の屋外側に新設サッシの下枠の取付フィン１５を取付けてなる。【選択図】　　　　　図１
2004124436.tif 000002
【特許請求の範囲】
【請求項１】
建物の開口部に取付けられている既設引き違いサッシのサッシ枠に取付けられる半外付納まりの新設のサッシ枠を有する改装サッシであって、前記既設のサッシ枠は下枠に外レールと内レールとを有しており、前記新設のサッシ枠の下枠は室内外方向略中間の外周に取付フィンを有しており、既設のサッシ枠の下枠の内レールと外レール間の上面に下枠取付部材を取り付けてなり、下枠取付部材の屋外側に新設サッシの下枠の取付フィンを取付けてなることを特徴とする改装サッシ。
【発明の詳細な説明】
【０００１】
【発明の属する技術分野】
本発明は、改装サッシに係り、特に既設サッシのサッシ枠を撤去することなく新設サッシのサッシ枠を取付可能とした改装サッシに関する。
【０００２】
【従来の技術】
建物の開口部に取付けられている既設のサッシを新しいものに改装する場合、従来では、既設サッシを撤去してから新設サッシを取付ける工法が採られている。しかしながら、この工法では、既設サッシの撤去に手間がかかるだけでなく、その周縁の外装や内装も解体しなければならないため、工期や施工コストが多くかかるという問題があった。
【特許文献１】特開２００１−８２０３１号公報の図２（ａ），図２（ｂ）
【０００３】
このような問題を解決するために、既設サッシのサッシ枠を撤去することなく新設サッシのサッシ枠を取付可能としたリフォーム用サッシ枠が提案されている（特許文献１参照）。
【０００４】
【発明が解決しようとする課題】
しかしながら、前記リフォーム用サッシ枠においては、特許文献１の図２（ａ），図２（ｂ）に示されている通り、既設のサッシ枠の取付フィンの屋外側にそれを覆うように新設のリフォーム用サッシ枠が取り付けられている、この図２には図示されていないが、既設サッシ枠の取付フィンはモルタルまたは、サイディングで覆われており、この構造では新設のサッシ枠の取付フィンを既設のサッシ枠の取付フィンの外側に取り付ける前に既設のサッシ枠の取付フィンを覆っているモルタルまたは、サイディングを除く工事が必要になり施工に手間がかかるという問題がある。
【０００５】
本発明は、前記事情を考慮してなされたもので、新設のサッシ枠を既設のサッシ枠の取付フィンを覆っているモルタルまたは、サイディングを除く工事をすることなく、新設のサッシ枠を施工できる改装サッシを提供することを目的とする。
【０００６】
【課題を解決するための手段】
本発明は、建物の開口部に取付けられている既設引き違いサッシのサッシ枠に取付けられる半外付納まりの新設のサッシ枠を有する改装サッシであって、前記既設のサッシ枠は下枠に外レールと内レールとを有しており、前記新設のサッシ枠の下枠は室内外方向略中間の外周に取付フィンを有しており、既設のサッシ枠の下枠の内レールと外レール間の上面に下枠取付部材を取り付けてなり、下枠取付部材の屋外側に新設サッシの下枠の取付フィンを取付けてなることを特徴とする。
【０００７】
【発明の実施の形態】
以下に、本発明の実施の形態を添付図面に基いて詳述する。図１は本発明の第１の実施の形態を示す改装サッシの縦断面図、図２は図１の改装サッシの横断面図、図３は図１の改装サッシの分解断面図である。図４は既設サッシの上枠に上枠取付部材を取付けた状態を示す拡大断面図である。
図５は既設サッシの下枠に下枠取付部材を取付けた状態を示す拡大断面図である。図６は既設サッシの左縦枠に左縦枠取付部材を取付けた状態を示す拡大断面図である。図７は既設サッシの右縦枠に右縦枠取付部材を取付けた状態を示す拡大断面図である。図８は、本発明の改装サッシ枠の下枠取付部材の第二の実施形態を示す縦断面図である。図９は、本発明の改装サッシ枠の下枠取付部材の第三の実施形態を示す縦断面図である。図１０は、本発明の改装サッシ枠の下枠取付部材の第四の実施形態を示す縦断面図である。図１１は、本発明の改装サッシ枠の下枠取付部材の第五の実施形態を示す縦断面図である。
【０００８】
本実施の形態では、本発明を窓サッシに適用した一例が示されている。図１〜図３に示すように、木造建物の躯体１に形成された開口部２には半外付納まりの既設サッシ３のサッシ枠４〜７が設けられている。この既設のサッシ枠４〜７は、例えばアルミ押出形材からなる上枠４、下枠５および左右の縦枠６，７を方形枠状に組んで構成されている。これら上枠４、下枠５および左右の縦枠６，７は、それぞれ躯体１における開口部２の内周に固着具例えばネジで固定されている。特に、下枠５は躯体１における窓台１ａ上に固定されている。
【０００９】
また、前記既設サッシ枠４〜７は、室外面の位置の外周にそれぞれ取付フィン４ｅ，５ｅ，６ｅ，７ｅを有し、該取付フィンが躯体１の室外面に固着具例えば釘で固定されている。窓台１ａの室外面には、水切り部材８が前記下枠５の取付フィン５ｅと共に前記釘で固定されている。また、躯体１の室外面には外装材９が設けられている。
【００１０】
前記既設サッシ３は引違いサッシからなり、そのサッシ枠の下枠５に外レール５ａと外レール支持部５ｂと内レール５ｃと内レール支持部５ｄと室内側立上り部５ｅとを室外方向への雨水の排水性を良くすべく断面階段状に有している。外レール支持部５ｂには図示しない外障子を開閉自在に支持する下部外レール５ａが設けられ、内レール支持部５ｄには図示しない内障子を開閉自在に支持する下部内レール５ｃが設けられている。
【００１１】
そして、前記既設サッシ枠４〜７の内側（内周）、好ましくは内外方向に見て外レール５ａと内レール５ｃ間に半外付納まりの新設のサッシ枠１３の下枠１３ｂの取付フィン１５が位置するように改装用の新設のサッシ（改装サッシ）１２が取付けられる。この位置に取り付けることにより既設サッシと新設サッシの内外方向の位置が改装前後であまり変わらないので、屋外側にも大きく突出せず、また逆に窓室内側を狭くすることもない。この改装サッシ１２は、図示例では、引違いサッシからなり、そのサッシ枠１３内には図示しない外障子と内障子とが開閉自在に設けられる。新設のサッシ枠１３は、上枠１３ａ、下枠１３ｂおよび左右の縦枠１３ｃ，１３ｃを方形枠状に組んで構成されている。
【００１２】
これら上枠１３ａ、下枠１３ｂおよび左右の縦枠１３ｃ，１３ｃは、図示例では、金属製例えばアルミ押出形材からなる室外側形材１３ｘと、金属製例えばアルミ押出形材からなる室内側形材１３ｙとを、低熱伝導材製例えば樹脂製のブリッジ材１３ｚを介して結合してなる断熱形材からなっている。下枠１３ｂには、室外側形材１３ｘに下部外レール１４ａが、室内側形材１３ｙに下部内レール１４ｂがそれぞれ設けられ、この下部内レール１４ｂと既設のサッシ下枠４の下部内レール５ｃとは室内外方向の略同じ位置とされている。
【００１３】
前記新設のサッシ枠１３は、室内外方向略中間位置の外周に取付フィン１５を有している。この新設サッシ枠１３を既設サッシ枠４〜７内に取付けるために、既設サッシ枠４〜７の下枠５上には下枠取付部材１６が設けられる。
上枠４下には上枠取付部材１７が設けられる。左縦枠６内周には左縦枠取付部材１８が設けられる。右縦枠７内周には右縦枠取付部材１９が設けられる。
【００１４】
図４に示すように上枠取付部材１７は上向きコ字状であり、上枠４の室内側下向片４ｃの屋外側下面と外レール４ａよりも室内側の下面とに内レール４ｂを跨ぐようにして固着具１７ｃ（図３にて図示）で長手方向（左右方向）に沿って取付けられる。上枠取付部材の屋外側の上端と既設サッシの上枠とが接する面には上シール材１７ａが介装されている。これにより、既設サッシの上枠４と新設サッシの上枠１３ａ間に屋外から浸入した水で上シール材１７ａが設けられている箇所から室内側に入る水がシールされる。また、上枠取付部材１７の屋外面の下部と新設サッシの上枠１３ａの取付フィン１５との間には下シール材１７ｂが介装されている。これによりそこから室内に入る水がシールされる。
【００１５】
図５に示すように下枠取付部材１６は逆Ｌ字形状であり、室内側には下向片１６ｅと載置片１６ｆとを備えている。下枠５の上面に内外レール間の内レール支持部５ｄまたは外レール支持部５ｂ上と室内側立上り部５ｅに支持されその内レール５ｃを跨ぐようにして内レール５ｃの内側に固着具１６ｄ（図３にて図示）で長手方向（左右方向）に沿って取付けられる。室内側立上り部５ｅの上端に載置片１６ｆが支持されており、室内側立上り部５ｅの屋外面に下向片１６ｅが当接しているので施工時において位置決めが容易であるとともに新設サッシの荷重を支えることができる。載置片１６ｆと室内側立上り部５ｅとの間にはシール材１６ｃ（図３にて図示）が介装されている。これにより下枠取付部材の下方と既設サッシの下枠上面との間から室内に浸入しようとする水をシールする。
【００１６】
図６に示すように左縦枠取付部材１８は左縦枠６の内周側面に既存サッシの外障子（図示しない）の戸先框に呑み込まれる外片６ａの室内側の部分と室内側見切片６ｂの屋外側の部分とに支持されて戸先框室内側端部をかくす内片６ｃを跨ぐようにして内片６ｃの内側に固着具１８ａ（図３にて図示）で長手方向（上下方向）に沿って取付けられる。
【００１７】
図７に示すように右縦枠取付部材１９は右縦枠７の内周側面に既存サッシの網戸受片７ａの室内側の部分と室内側見切片７ｂの屋外側の部分とに支持されて内障子（図示しない）の戸先框室外側端部をかくす外片７ｂと内障子の戸先框に呑み込まれる内片７ｃ及び戸先框室内側端部を屋外側からかくす外片７ｂを跨ぐようにして内片７ｃの内側に固着具１９ａ（図３にて図示）で長手方向（上下方向）に沿って取付けられる。上下左右縦枠の取付部材はそれぞれ既設サッシの下枠の室内側立上り片、上枠の室内側下向片、左右縦枠の室内側見切片の位置を基準にほぼ同じ見込み寸法なので、新設サッシの取付フィンを内外方向にほぼ同じ位置で施工することができるので、気密性、施工性が向上する。
【００１８】
これらの下枠取付部材１６、上枠取付部材１７，左縦枠取付部材１８、右縦枠取付部材１９は、例えばアルミ押出形材からなっている。これらは、それぞれ固着具例えばネジ１６ｄ、１７ｃ、１８ａ、１９ａで既設のサッシ枠４乃至７または躯体１に固定される。取付部材１６乃至１９の取付強度を向上させるために、図示例のように、固着具例えばネジ１６ｄ、１７ｃ、１８ａ、１９ａは既設のサッシ枠４乃至７を貫通して躯体１に固定されることが好ましい。この場合、下部取付部材１６ｂは、固着具例えばネジ１６ｄで躯体１の窓台１ａに固定される。
【００１９】
前記下枠取付部材１６の室外面１６ａは、既設のサッシ枠の下枠４の内外レール間とされ、この室外面に新設のサッシ下枠の取付フィンが添設して固着具で取付られるようになっている。図示例では下枠取付部材１６の上面は、平坦な支持面１６ｈとされ、この支持面１６ｈに新設のサッシ枠１３の取付フィン１５よりも室内側部分が直接またはスぺーサ２０を介して間接的に支持されるようになっている。
【００２０】
前記上枠取付部材１６の室外面１７ａは、既設のサッシ枠の上枠４の内外レール間とされ、この室外面に新設のサッシ上枠の取付フィン１５が添設して固着具で取付られるようになっている。図示例では上枠取付部材１７の下面は、平坦な支持面１７ｈとされ、この支持面１７ｈに新設のサッシ上枠１３ａの取付フィン１５よりも室内側部分が直接またはスぺーサ２０を介して間接的に支持されるようになっている。
【００２１】
前記左縦枠取付部材１８の屋外面１８ａは、既設のサッシ枠の左縦枠６の内外障子間に突出する境界片６ｃよりも外側でかつ網戸戸当り片６ｄよりも内側とされ、この室外面に新設のサッシ左縦枠１３ｃの取付フィン１５が添設して固着具で取付られるようになっている。図示例では左縦枠取付部材８の内周面は、平坦な支持面１８ｂとされ、この支持面１８ｂに新設のサッシ縦１３ｃの取付フィン１５よりも室内側部分が直接またはスぺーサ２０を介して間接的に支持されるようになっている。
【００２２】
前記右縦枠取付部材１９の室外面１９ａは、既設のサッシ枠の右縦枠７の内外障子間に突出する境界片よりも外側でかつ網戸戸当り片７ａよりも内側とされ、この室外面に新設のサッシ右縦枠１３ｃの取付フィン１５が添設して固着具で取付られるようになっている。図示例では右縦枠取付部材１９の内周面は、平坦な支持面１９ｂとされ、この支持面１９ｂに新設のサッシ縦枠１３ｃの取付フィン１５よりも室内側部分が直接またはスぺーサ２０を介して間接的に支持されるようになっている。
【００２３】
本発明の新設サッシ枠は多種の既設のサッシに取付けられなければならない、しかしながら、既設のサッシの下枠は下枠の室内側立上り部上端、内レール上端、外レール上端、内レール支持部、外レール支持部の高さ位置は様々であり、また室内側立上り部から内レール、内レール支持部と外レール支持部間の段差部、外レールのそれぞれ迄の寸法も様々である。多種の既設サッシに対応する為に本発明では下枠取付部材を基本部材１６ｂと延長部材１６ｃとを組み合わせることで実現している。以下にそれを説明する。
【００２４】
図５は、本発明の改装サッシ枠の既設サッシの下枠５に下枠取付部材１６を取付けた状態を示す拡大断面図である。
既設サッシは内はめ式サッシの場合であり、内レール５ｃの上端と室内側立上り部５ｅ上端とが同じ位置にある。この例では、下枠取付部材１６は基本部材１６ｂと延長部材１６ｃ取付溝１６ｄに係合された延長部材１６ｃとからなり基本部材１６ｂの下端はそのままでは下枠上面に支持されている、延長部材１６ｃ取付溝１６ｄに長片１６ｇが下になるように延長部材１６ｃを係合している。基本部材１６ｂの下端と延長部材１６ｃの長片１６ｇの下端は同じ高さ位置にあり、延長部材１６ｃの室内側の面は内レール支持部と外レール支持部間の垂直面に当接しており下枠取付部材の倒れを防いでいる。
【００２５】
図８は、本発明の改装サッシ枠の下枠取付部材の第二の実施形態を示す縦断面図である。
既設サッシは内障子を室内側から取り外しできるいわゆる内はめ式サッシの場合であり、内レール５ｃの上端と室内側立上り部５ｅ上端とが同じ位置にある。この例では、下枠取付部材１６は基本部材１６ｂだけでよく外レール支持部５ｂと内レール５ｃの上端と室内側立上り部５ｅ上端とに支持される。
【００２６】
図９は、本発明の改装サッシ枠の下枠取付部材の第三の実施形態を示す縦断面図である。
既設サッシは同じく内はめ式サッシの場合であり、内レールの上端と室内側立上り部上端とが同じ位置にある。この例では、下枠取付部材は基本部材１６ｂだけでよく延長部材取付溝１６ｄを形成する下片が内レール支持部と外レール支持部との中間部に支持され、支持面１６ｈが内レール５ｃの上端と室内側立上り部上端とに支持される。
【００２７】
図１０は、本発明の改装サッシ枠の下枠取付部材の第四の実施形態を示す縦断面図である。
この例では、下枠取付部材１６は基本部材１６ｂと延長部材取付溝１６ｄに係合された延長部材１６ｃとからなり基本部材１６ｂの下端はそのままでは下枠上面に届かないので、延長部材取付溝１６ｄに短片１６ｈが下になるように延長部材１６ｃを係合している。延長部材１６ｃの短片１６ｈの下端が内レール支持部５ｄに支持されている。
【００２８】
図１１は、本発明の改装サッシ枠の下枠取付部材の第五の実施形態を示す縦断面図である。
この例では、下枠取付部材は基本部材１６ｂと延長部材取付溝１６ｄに係合された延長部材１６ｃとからなり基本部材１６ｂの下端はそのままでは下枠上面に届かないので、延長部材取付溝１６ｄに長片１６ｇが下になるように延長部材１６ｃを係合している。延長部材１６ｃの長片１６ｇの下端が内レール支持部５ｄに支持されている。
【００２９】
なお、本実施例では、左縦枠取付部材と右縦枠取付部材とは左右兼用となっている。これにより、形材数を減らすことができる。また、改装の現場で部材がないために施工ができなくなることを減らすことができる。
【００３０】
スぺーサ２０は、上部取付部材１７と新設サッシ枠１３の上枠１３ａとの間に介在される上部スぺーサ（上枠スぺーサともいう）２０ａと、下部取付部材１６と新設サッシ枠１３の下枠１３ｂとの間に介在される下部スぺーサ（下枠スぺーサともいう）２０ｂと、左右縦枠取付部材１８，１９と新設サッシ枠１３の縦枠１３ｃとの間に介在される側部スぺーサ（縦枠スぺーサともいう）２０ｃとからなっている。スぺーサ２０は、それぞれ複数に分割されており、取付部材１６、１７，１８，１９の支持面１６ｈ、１７ｈ、１８ｂ、１９ｂに適宜間隔で隣接した数箇所に両面テープなどで取付けられる。スぺーサ２０は、室外側形材１３ｘと室内側形材１３ｙ間のヒートブリッジ（熱橋）にならないように、低熱伝導材例えば合成樹脂により形成されていることが好ましい。
【００３１】
また、スぺーサ２０は、薄いスぺーサ板を粘着材ないし両面テープを介して多数枚積層してなり、スぺーサ板を剥離することで厚さを可変できるようになっていることが好ましい。そして、図示例では、既設のサッシ下枠５の外レール支持部５ｂ上に、新設のサッシ下枠１３ｂの取付フィン１５よりも室内側部分が下部取付部材１６および下部スぺーサ２０ｂを介して間接的に取付けられている。
【００３２】
色違いの水切り部材８を隠すために、該水切り部材８の表面には着色塗装ないし着色フィルムがラッピングされたアルミ押出形材からなる水切りカバー材２８が取付けられる。
【００３３】
躯体１の開口部２の室内側四周には方形枠状に組まれた木質化粧材３０が取付けられている。
【００３４】
次に、以上の構成からなる改装サッシ３の施工方法および作用について説明する。先ず、既設サッシ枠４〜７の室外側内周（四周）に取付部材１６〜１９を固着具例えばネジ１６ｄ、１７ｃ、１８ａ，１９ａでそれぞれ取付固定する。そして、取付部材１６〜１９の内周に新設サッシ枠１３の取付フィン１５よりも室内側部分が丁度納まるように、取付部材１６の内周を形成する支持面１６ｈ、１７ｈ、１８ｂ、１９ｂにスぺーサ２０を適宜取付けておく。
下枠取付部材の屋外面には下カバー材２９を取付ける、下カバー２ａは既設サッシの下枠５を屋外側から見えないように下方に延びた遮視部１９ａを備えている。これにより、既設サッシの色が新設サッシの色と違っていても問題がない。また、下カバー材２９の屋内面と下枠取付部材１６の屋外面間には内シール材２９ｂが介装されている。また、下カバー材２９の屋外面と新設サッシ下枠の取付フィン１５の屋内面との間には外シール材２９ｃが介装されている。これらの内外シール材により屋外から浸入する水がシールされる。
【００３５】
次に、新設サッシ枠１３の取付フィン１５よりも室内側部分を前記既設サッシ枠４〜７における取付部材１６〜１９の内側（内周）に室外側から挿入し、当該室内側部分をスぺーサ２０を介して取付部材１６〜１９の支持面１６ｈ、１７ｈ、１８ｂ、１９ｂに支持させると共に、特に下枠部においては前記取付フィン１５を下カバー材の上部をはさんで取付部材１６の取付面（室外面）１６ａに固定させる。そして、前記取付フィン１５を取付部材１６〜１９の取付面１６ａ，１７ｅ，１８ａ，１９ａに固着具例えばネジ（テクスネジ）２４で固定する。
この場合、取付フィン１５は下枠取付部材１６の屋外面に下カバー材をはさまずに直に当接させて取付してもよい、つまり新設下枠の取付フィン１５は下枠取付部材の屋外面に直接間接に取付られていてもよい。
次に、上カバー材取付部材３０を新設サッシの取付フィン１５を貫通して上枠取付部材１７の屋外面１７ｃに適宜個数を取付ける。その後に、その屋外側の先端に上カバー材を取付ける。
次に、新設サッシの縦枠の外壁見切り縁の外面に金物を介して縦カバー材２７を取付ける。その後、上カバー材２７と外壁間、縦カバー材３１と外壁間にシーリングを施す。
【００３６】
このようにして新設サッシ枠１３の取付けが終了したなら、木質化粧材３０の取付けを行えば良い。そして、新設サッシ枠１３内に障子を装着することにより、新設サッシである改装サッシ１２の取付施工が終了する。
【００３７】
以上の構成からなる改装サッシ１２によれば、前記既設のサッシ枠は下枠５に外レール支持部５ｂと、該外レール支持部５ｂよりも高さの高い内レール支持部５ｄとを有しており、前記新設のサッシ枠１３ｂは室内外方向略中間の外周に取付フィン１５を有しており、既設のサッシ枠５に取付けた下枠取付部材１６の上面に新設のサッシ枠１３ｂの取付フィン１５よりも室内側部分を直接または取付部材１６を介して間接的に取付けてなるため、特許文献１として挙げた例のように既設のサッシ枠の取付フィンを覆うように新設のサッシ枠の取付フィンを取付ける場合とは異なり、既設のサッシ枠の取付フィンを露出させる為に外壁を切削する必要がない。また、既存の木造建築用の半外付サッシを取付フィンを切らずにそのまま改装用サッシとして使うことができる。
【００３８】
以上、本発明の実施の形態を図面により詳述してきたが、本発明は前記実施の形態に限定されるものではなく、本発明の要旨を逸脱しない範囲での種々の設計変更等が可能である。例えば、既設サッシのサッシ枠は、断熱構造であってもよい。改装サッシのサッシ枠は、必ずしも断熱構造である必要はなく、また、改装サッシの窓種は、引違いサッシに限定されるものではない。
【００３９】
【発明の効果】
以上要するに本発明によれば、建物の開口部に取付けられている既設引き違いサッシのサッシ枠に取付けられる半外付納まりの新設のサッシ枠を有する改装サッシであって、前記既設のサッシ枠は下枠に外レールと内レールとを有しており、前記新設のサッシ枠の下枠は室内外方向略中間の外周に取付フィンを有しており、既設のサッシ枠の下枠の内レールと外レール間の上面に下枠取付部材を取り付けてなり、下枠取付部材の屋外側に新設サッシの下枠の取付フィンを取付けてなるため、既設のサッシ枠の取付フィンを覆っているモルタルまたは、サイディングを除く工事をしないで新設サッシ枠を取付することができる。
【図面の簡単な説明】
【図１】本発明の第１の実施の形態を示す改装サッシの縦断面図である。
【図２】図１の改装サッシの横断面図である。
【図３】図１の改装サッシの分解断面図である。
【図４】既設サッシの上枠に上枠取付部材を取付けた状態を示す拡大断面図である。
【図５】既設サッシの下枠に下枠取付部材を取付けた状態を示す拡大断面図である。
【図６】既設サッシの左縦枠に左縦枠取付部材を取付けた状態を示す拡大断面図である。
【図７】既設サッシの右縦枠に右縦枠取付部材を取付けた状態を示す拡大断面図である。
【図８】本発明の改装サッシ枠の下枠取付部材の第二の実施形態を示す縦断面図である。
【図９】本発明の改装サッシ枠の下枠取付部材の第三の実施形態を示す縦断面図である。
【図１０】本発明の改装サッシ枠の下枠取付部材の第四の実施形態を示す縦断面図である。
【図１１】本発明の改装サッシ枠の下枠取付部材の第五の実施形態を示す縦断面図である。
【符号の説明】
２　開口部
４　既設のサッシ枠の上枠
５　既設のサッシ枠の下枠
５ａ　外レール
５ｃ　内レール
６　既設のサッシ枠の左縦枠
７　既設のサッシ枠の右縦枠
１２　改装サッシ
１３　新設のサッシ枠
１３ａ　新設のサッシ枠の下枠
１５　取付フィン
１６　下枠取付部材
【図１】
2004124436.tif 000003
【図２】
2004124436.tif 000004
【図３】
2004124436.tif 000005
【図４】
2004124436.tif 000006
【図５】
2004124436.tif 000007
【図６】
2004124436.tif 000008
【図７】
2004124436.tif 000009
【図８】
2004124436.tif 000010
【図９】
2004124436.tif 000011
【図１０】
2004124436.tif 000012
【図１１】
2004124436.tif 000013